(57)【特許請求の範囲】
【請求項１】
軸まわりに回転体を回転自在に取り付ける支持軸と、その支持軸に軸方向に設ける軸穴と、その軸穴から軸外周に向けて開口して前記支持軸に設ける横穴と、潤滑剤を保持して前記軸穴に挿入して前記横穴を通して前記支持軸と前記回転体との間に潤滑剤を導く潤滑剤カートリッジとを備えてなる、回転体支持部への潤滑剤供給装置。
【請求項２】
前記潤滑剤カートリッジと前記支持軸との嵌め合い形状を、潤滑剤の種類に応じて異ならしめてなる、請求項１に記載の回転体支持部への潤滑剤供給装置。
【請求項３】
前記潤滑剤カートリッジを、前記軸穴を塞ぐキャップ部と前記軸穴に挿入する潤滑剤保持部とで構成し、その潤滑剤保持部と前記軸穴との嵌め合い形状を異ならしめてなる、請求項２に記載の回転体支持部への潤滑剤供給装置。
【請求項４】
前記潤滑剤カートリッジを、前記軸穴に挿入する潤滑剤保持部と前記支持軸に被せて前記軸穴を塞ぐキャップ部とで構成し、そのキャップ部と前記支持軸との嵌め合い形状を異ならしめてなる、請求項２に記載の回転体支持部への潤滑剤供給装置。
【請求項５】
前記潤滑剤カートリッジに複数の潤滑剤保持部を設け、それらの潤滑剤保持部を同時に複数の前記支持軸の前記軸穴に挿入してなる、請求項２に記載の回転体支持部への潤滑剤供給装置。
【請求項６】
前記複数の潤滑剤保持部を前記軸穴に挿入するときの前記潤滑剤カートリッジ全体の向きを一様に規制する規制部を備えてなる、請求項５に記載の回転体支持部への潤滑剤供給装置。
【発明の詳細な説明】
【０００１】
【発明の属する技術分野】
この発明は、たとえば複写機・プリンタ・ファクシミリ・それらの複合機・印刷機のようなＯＡ機器などに適用し得る。詳しくは、そのようなＯＡ機器などにおいて、ギヤ・プーリ等の回転体を支持軸で回転自在に支持した回転体支持部へ潤滑剤を供給する潤滑剤供給装置に関する。
【０００２】
【従来の技術】
従来、たとえば図８に示すようなファクシミリの中に、符号１で示す駆動モータの駆動を伝達する複数のギヤｇ…を、本体フレーム２の側板部２ａに外向きに設ける複数の支持軸３…でそれぞれ回転自在に支持したものがある。
【０００３】
【発明が解決しようとする課題】
ところで、そのようなファクシミリ等では、ギヤｇの回転を円滑にすべく、また、そのギヤｇと支持軸３の摩擦でそれらが摩耗したり異音を発生したりすることを防止すべく、ギヤｇと支持軸３間にオイル等の潤滑剤を適宜に供給している。ところが、従来では、スポイト等を用いて潤滑剤を塗布したりする供給方法をとるため、何度も潤滑剤を付ける必要があり手間がかかるという課題があり、また、潤滑剤が滴り落ちて近くの部品や手を汚したり、さらに、誤った種類の潤滑剤が供給されたりするという課題があった。
【０００４】
【課題を解決するための手段】
そこで、請求項１に記載の回転体支持部への潤滑剤供給装置は、軸まわりに、ギヤ１５〜１７やプーリ１８のような回転体を回転自在に取り付ける支持軸１１〜１４と、その支持軸１１〜１４に軸方向に設ける軸穴１１ａ〜１４ａと、その軸穴１１ａ〜１４ａから軸外周に向けて開口して前記支持軸１１〜１４に設ける横穴１１ｂ〜１４ｂと、潤滑剤を保持して前記軸穴１１ａ〜１４ａに挿入して前記横穴１１ｂ〜１４ｂを通して前記支持軸１１〜１４と前記回転体との間に潤滑剤を導く潤滑剤カートリッジ２５・３０とを備えてなる、ことを特徴とする。
請求項２に記載の発明は、請求項１に記載の回転体支持部への潤滑剤供給装置において、前記潤滑剤カートリッジ２５・３０と前記支持軸１１〜１４との嵌め合い形状を、潤滑剤の種類に応じて異ならしめてなる、ことを特徴とする。
【０００５】
そして、組み付け時、請求項１に記載の発明では、支持軸１１〜１４の軸まわりに回転体を回転自在に取り付け、支持軸１１〜１４の軸穴１１ａ〜１４ａに潤滑剤カートリッジ２５・３０を挿入する。これにより、軸穴１１ａ〜１４ａ内の潤滑剤カートリッジ２５・３０で保持する潤滑剤をにじみ出し、横穴１１ｂ〜１４ｂを通して支持軸１１〜１４と回転体との間に導く。
請求項２に記載の発明では、組み付け時、潤滑剤カートリッジ２５・３０を、嵌め合い形状の一致する軸穴１１ａ〜１４ａに挿入する。
【０００６】
請求項３に記載の発明は、請求項２に記載の回転体支持部への潤滑剤供給装置において、前記潤滑剤カートリッジ２５・３０を、前記軸穴１１ａ〜１４ａを塞ぐキャップ部２５ｂ・３０ｂと前記軸穴１１ａ〜１４ａに挿入する潤滑剤保持部２５ｄ・３０ｄとで構成し、その潤滑剤保持部２５ｄ・３０ｄと前記軸穴１１ａ〜１４ａとの嵌め合い形状を異ならしめてなる、ことを特徴とする。
【０００７】
そして、組み付け時、潤滑剤保持部２５ｄ・３０ｄを嵌め合い形状の一致する軸穴１１ａ〜１４ａに挿入し、それら軸穴１１ａ〜１４ａをキャップ部２５ｂ・３０ｂで塞ぐ。
【０００８】
請求項４に記載の発明は、請求項２に記載の回転体支持部への潤滑剤供給装置において、前記潤滑剤カートリッジ２５・３０を、前記軸穴１１ａ〜１４ａに挿入する潤滑剤保持部２５ｄ・３０ｄと前記支持軸１１〜１４に被せて前記軸穴１１ａ〜１４ａを塞ぐキャップ部２５ｂ・３０ｂとで構成し、そのキャップ部２５ｂ・３０ｂと前記支持軸１１〜１４との嵌め合い形状を異ならしめてなる、ことを特徴とする。
【０００９】
そして、組み付け時、キャップ部２５ｂ・３０ｂを嵌め合い形状の一致する支持軸１１〜１４に被せて軸穴１１ａ〜１４ａを塞ぎ、潤滑剤保持部２５ｄ・３０ｄを対応する軸穴１１ａ〜１４ａに挿入する。
【００１０】
請求項５に記載の発明は、請求項２に記載の回転体支持部への潤滑剤供給装置において、前記潤滑剤カートリッジ４０に複数の潤滑剤保持部４０ｄ・４０ｅを設け、それらの潤滑剤保持部４０ｄ・４０ｅを同時に複数の前記支持軸１１・１２の前記軸穴１１ａ〜１４ａに挿入してなる、ことを特徴とする。
【００１１】
そして、組み付け時、複数の潤滑剤保持部４０ｄ・４０ｅを、同時に複数の軸穴１１ａ・１２ａに挿入する。
【００１２】
請求項６に記載の発明は、請求項５に記載の回転体支持部への潤滑剤供給装置において、前記複数の潤滑剤保持部４０ｄ・４０ｅを前記軸穴１１ａ・１２ａに挿入するときの前記潤滑剤カートリッジ４０全体の向きを一様に規制する、規制凸部４０ｆのような規制部を備えてなる、ことを特徴とする。
【００１３】
そして、複数の潤滑剤保持部４０ｄ・４０ｅを同時に軸穴１１ａ・１２ａに挿入するとき、潤滑剤カートリッジ４０全体の向きを規制部で一様に規制する。
【００１４】
【発明の実施の形態】
以下、図面を参照しつつ、この発明の実施の形態について説明する。
図１は、この発明にかかる複写機に備える潤滑剤供給装置を、回転伝達経路に沿って断面にして示す断面図である。図２は、その斜視図である。図中符号１０は、板状の樹脂製フレームである。
【００１５】
図示潤滑剤供給装置は、このフレーム１０の片面に、複数のギヤ支持軸１１〜１３やファン支持軸１４を成形により一体に設ける。それら支持軸１１〜１４には、それぞれ先端面の中心から軸方向に軸穴１１ａ〜１４ａを設けてなる。
【００１６】
また、ギヤ支持軸１１〜１３には、各々の軸穴１１ａ〜１３ａから軸外周に向け開口する横穴１１ｂ〜１３ｂおよび横穴１１ｃ〜１３ｃを径方向に設ける。さらに、ギヤ支持軸１１〜１３の基端外周には、横穴１１ｃ〜１３ｃの開口位置に掛止め円周溝１１ｅ〜１３ｅを設ける。一方、各々の先端外周に、嵌込み円周溝１１ｄ〜１３ｄを設けてなる。
【００１７】
また、ファン支持軸１４にも、軸穴１４ａから軸外周に向けて開口する横穴１４ｂを径方向に設け、さらに、先端外周に、嵌込み円周溝１４ｄを設けてなる。
【００１８】
そして、ギヤ支持軸１１〜１３には、それらを各々中心穴に通してギヤ１５〜１７を回転自在に取り付ける。一方、ファン支持軸１４には、これを中心穴に通してプーリ１８を回転自在に取り付け、そのプーリ１８を介してファン２０を取り付けてなる。
【００１９】
ギヤ１５〜１７には、それらをギヤ支持軸１１〜１３に取り付けるとき、掛止め円周溝１１ｅ〜１３ｅに先端爪部を掛けて抜け止めする弾性フック部１５ａ〜１７ａを設ける。そして、ギヤ１５を、一側でその小径ギヤ部１５ｂをギヤ１９と噛み合わせ、他側でモータＭの駆動ギヤ２１を介してギヤ１６と噛み合わせる。さらに、ギヤ１６をギヤ１７と噛み合わせ、そのギヤ１７のプーリ部１７ｂと上記プーリ１８間にワイヤ２２を掛け渡してなる。なお、モータＭは、たとえば図示しないブラケットを用いてフレーム１０に固定してなる。
【００２０】
プーリ１８には、その円筒ボス部１８ａに沿って伸びるフック部１８ｂを設ける。そして、円筒ボス部１８ａをファン２０の中心丸穴２０ａに嵌め込み、フック部１８ｂの先端爪部をファン２０の掛止め穴２０ｂに掛け止めて、ファン２０をプーリ１８に取り付ける。なお、ファン２０には、ケース２４を被せてなる。
【００２１】
そうして、上述した複写機の稼動時、モータＭの駆動力を、ギヤ１５〜１７の噛み合いとワイヤ２２を介してプーリ１８へ伝達してファン２０を回転し、ケース２４の円形吸い込み口２４ａから空気を吸い込んで管状の送風口２４ｂから排出し、不図示の定着装置へ向けて送風する。
【００２２】
ところで、図示潤滑剤供給装置では、ファン支持軸１４とプーリ１８間へ潤滑剤を供給するために用いる、図３に示すような潤滑剤カートリッジ２５を備える。また、ギヤ支持軸１１〜１３とギヤ１５〜１７間にそれぞれ潤滑剤を供給するために用いる、図４に示すような潤滑剤カートリッジ３０を備える。
【００２３】
潤滑剤カートリッジ２５は、図３に示すように、断面真円状の芯棒２５ａと、その基端側で筒状に形成するキャップ部２５ｂと、そのキャップ部２５ｂから外向きに設ける摘み部２５ｃとを樹脂で一体に成形し、芯棒２５ａにフェルト製の潤滑剤含浸部材２６を接着してなる。そして、潤滑剤含浸部材２６に、比較的粘性の低い高速回転用潤滑剤をしみ込ませ、その潤滑剤含浸部材２６と芯棒２５ａとで、断面真円状の潤滑剤保持部２５ｄを形成してなる。
【００２４】
これに対し、潤滑剤カートリッジ３０は、図４に示すように、芯棒３０ａを断面長方形状に形成し、その芯棒３０ａに潤滑剤含浸部材３１を接着する。そして、潤滑剤含浸部材３１に比較的粘性の高い潤滑剤をしみ込ませ、その潤滑剤含浸部材３１と芯棒３０ａとで、潤滑剤保持部２７と異なる断面長方形状の潤滑剤保持部３０ｄを形成してなる。
【００２５】
また、図示潤滑剤供給装置では、潤滑剤カートリッジ２５の潤滑剤保持部２５ｄの形状に合わせて、上述したファン支持軸１４の軸穴１４ａを、図５（ａ）に示すように断面真円状に形成する。これに対し、潤滑剤カートリッジ３０の潤滑剤保持部３０ｄの形状に合わせて、上述したギヤ支持軸１１〜１３の軸穴１１ａ〜１３ａを、図５（ｂ）に示すように断面長方形状に形成してなる。
【００２６】
そこで、この潤滑剤供給装置では、組み付け時、たとえば潤滑剤カートリッジ２５を、その摘み部２５ｃを持って潤滑剤保持部２５ｄを嵌め合い形状の一致するファン支持軸１４の軸穴１４ａに、図１に示すように挿入し、その頭部にキャップ部２５ｂを被せ、そのキャップ部２５ｂの内周凸部２５ｅを嵌込み円周溝１４ｄに嵌め込む。そうすると、軸穴１４ａ内で潤滑剤含浸部材２６から高速回転用の潤滑剤がにじみ出し、さらに横穴１４ｂを通ってファン支持軸１４とプーリ１８間へと導かれる。
【００２７】
一方、潤滑剤カートリッジ３０は、その摘み部３０ｃを持って潤滑剤保持部３０ｄを、嵌め合い形状の一致するギヤ支持軸１１〜１３の軸穴１１ａ〜１３ａにそれぞれ挿入し、その頭部にキャップ部３０ｂを被せる。そうすると、軸穴１１ａ〜１３ａ内で、それぞれ潤滑剤含浸部材３１から潤滑剤がしみ出し、さらに横穴１１ｂ〜１３ｂを通ってギヤ支持軸１１〜１３とギヤ１５〜１７間へとぞれぞれ導かれる。
【００２８】
また、この潤滑剤は、横穴１１ｃ〜１３ｃを通って掛止め円周溝１１ｅ〜１３ｅに至り、その溝面と弾性フック部１５ａ〜１７ａの先端爪部間へも導かれる。なお、ギヤ支持軸１１の軸穴１１ａ内に出た潤滑剤は、ギヤ１５の小径ギヤ部１５ｂに有する穴１５ｃを通り、小径ギヤ部１５ｂとギヤ１９との噛み合い部へも導かれる。
【００２９】
ところで、図示潤滑剤供給装置では、この組み付け時、仮に潤滑剤カートリッジ２５・３０の選択を誤り、潤滑剤カートリッジ２５をギヤ支持軸１５〜１７の軸穴１５ａ〜１７ａに挿入し、または、潤滑剤カートリッジ３０をファン支持軸１４の軸穴１４ａに挿入しようとしても、潤滑剤保持部２５ｄ・３０ｄの嵌め合い形状が異なるので、それらを挿入することができず、これにより、誤った種類の潤滑剤が供給されることを阻止することができる。
【００３０】
なお、上述した図示実施の形態では、潤滑剤の種類に応じ、潤滑剤保持部２５ｄ・３０ｄの断面形状に差異を設けてその嵌め合い形状を異ならしめたが、たとえば潤滑剤保持部２５ｄ・３０ｄの長さに差異を設けて、同様に潤滑剤保持部の嵌め合い形状を異ならしめる構成とすることもできる。
【００３１】
また、誤った種類の潤滑剤の供給を防止するためには、そのように潤滑剤保持部の嵌め合い形状を異ならしめる場合に限られない。
【００３２】
例えば、潤滑剤カートリッジを、支持軸の軸穴に挿入する潤滑剤保持部とその軸穴を塞ぐキャップ部とで構成し、そのキャップ部の嵌め合い形状を異ならしめる。
【００３３】
たとえば上述した潤滑剤供給装置において、潤滑剤カートリッジ２５・３０の互いのキャップ部２５ｂ・３０ｂの大きさに差異を設け、それに対応してファン支持軸１４とギヤ支持軸１５〜１７の互いの軸径に差異を設けるようにする。
【００３４】
そして、組み付け時、一方の潤滑剤カートリッジの潤滑剤保持部を、誤って他方の軸穴に挿入しても、キャップ部が取り付かず、これにより、潤滑剤カートリッジを間違ったことに気付く。
【００３５】
ところで、潤滑剤カートリッジとしては、上述した形状のものに限らない。例えば、潤滑剤カートリッジに複数の潤滑剤保持部を設け、それら潤滑剤保持部を同時に複数の支持軸の軸穴に挿入する。
【００３６】
たとえば図６に示すように、潤滑剤カートリッジ４０を、プレート４０ｃ上に平行な一対の芯棒４０ａ・４０ｂを設け、それら芯棒４０ａ・４０ｂに潤滑剤含浸部材４１・４２を接着して２つの潤滑剤保持部４０ｄ・４０ｅを備える構成とする。それら潤滑剤保持部４０ｄ・４０ｅは、その軸間距離を、たとえば図１に示したギヤ支持軸１１・１２の軸間距離に一致させる。
【００３７】
そうして、組み付け時に、潤滑剤保持部４０ｄ・４０ｅを、同時に２つのギヤ支持軸１１・１２の軸穴１１ａ・１２ａに挿入し、ギヤ支持軸１１とギヤ１５間と、ギヤ支持軸１２とギヤ１６間へ潤滑剤が導れるようにする。
【００３８】
なお、この場合、潤滑剤保持部は、そのように２つに限らず、それ以上設けて３箇所以上一度に潤滑剤を供給できるようにすることもできる。
【００３９】
また、そのような潤滑剤カートリッジ４０を用いる場合でも、潤滑剤含浸部材４１・４２に種類の異なる潤滑剤をしみ込ませ、ギヤ支持軸１１とギヤ１５間と、ギヤ支持軸１２とギヤ１６間に、異なる種類の潤滑剤を供給できるようにすることもできる。しかし、その場合、潤滑剤保持部４０ｄ・４０ｅをそれぞれ挿入する軸穴１１ａ・１２ａを間違うと、誤った種類の潤滑剤が供給されてしまう。
【００４０】
そこで、複数の潤滑剤保持部を軸穴に挿入するときの潤滑剤カートリッジ全体の向きを一様に規制する規制部を備えるとよい。
【００４１】
たとえば図７に示すように、潤滑剤カートリッジ４０の板状キャップ部４０ｃに、潤滑剤保持部４０ｄ・４０ｅと平行に伸びる規制凸部４０ｆを設ける構成とする。
【００４２】
そして、組み付け時、プレート４０ｃを持ち、仮に規制凸部４０ｆを誤った向きにして潤滑剤保持部４０ｄ・４０ｅを軸穴１１ａ・１２ａに挿入しようとすると、規制凸部４０ｆが、たとえば上記フレーム１０の一部に突き当たり、潤滑剤保持部４０ｄ・４０ｅの挿入を阻止するようにする。これにより、潤滑剤カートリッジ４０の向きの誤りに早く気付き、適切な向きで潤滑剤保持部４０ｄ・４０ｅを軸穴１１ａ・１２ａに挿入する。その結果、ギヤ支持軸１１とギヤ１５間と、ギヤ支持軸１２とギヤ１６間へ互いに間違った種類の潤滑剤が供給されることを防止する。
【００４３】
なお、以上の実施の形態において、回転体は、駆動伝達用のギヤ１５〜１７やプーリ１８であったが、支持軸を中心として回転するものであれば、そのような駆動伝達用のものに限られない。また、上述した支持軸は、樹脂製フレーム１０に成形で一体に形成したものであった。しかし、支持軸は、フレームに一体でなくてもよく、金属製であってもよい。
【００４４】
【発明の効果】
したがって、請求項１に記載の発明によれば、従来の如くスポイト等を用いて潤滑剤を塗布したりするのではなく、潤滑剤カートリッジを用い、これを支持軸の軸穴に挿入しさえすれば、順次支持軸と回転体間へ潤滑剤が供給されるようにするから、従来のように潤滑剤を何度も付ける必要がなく供給作業に手間がかからず、また、潤滑剤が滴り落ちて近くの部品や手を汚したりする不具合の発生も防止することができる。
【００４５】
さらに、請求項２〜４に記載の発明によれば、潤滑剤カートリッジを特定の嵌め合い形状の支持軸の軸穴でなければ挿入できないようにし、これにより、誤った種類の潤滑剤が潤滑剤カートリッジから支持軸と回転体間へ供給されることを防止することができる。
【００４６】
請求項５に記載の発明によれば、潤滑剤カートリッジに複数の潤滑剤保持部を設け、それらの潤滑剤保持部を同時に複数の支持軸の軸穴に挿入できるようにし、その結果、潤滑剤カートリッジを支持軸ごとに個々に取り付ける手間がなくなり、供給作業の効率化を図ることができる。
【００４７】
請求項６に記載の発明によれば、そのように複数の潤滑剤保持部を同時に軸穴に挿入するときでも、潤滑剤カートリッジ全体の向きを規制部で一様に規制し、潤滑剤保持部を間違った軸穴に挿入することを阻止する構成とするから、異なる種類の潤滑剤が誤って支持軸と回転体間へ供給されることを防止することができる。
【図面の簡単な説明】
【図１】  この発明にかかる回転体支持部への潤滑剤供給装置を説明するため回転伝達経路に沿って示す断面図である。
【図２】  その潤滑剤供給装置の斜視図である。
【図３】  その潤滑剤供給装置に用いる潤滑剤を保持した潤滑剤カートリッジの斜視図である。
【図４】  その潤滑剤と異なる種類の潤滑剤を保持した他の潤滑剤カートリッジの斜視図である。
【図５】  （ａ）は図３に示す潤滑剤カートリッジの潤滑剤保持部の断面図であり、（ｂ）は図４に示す潤滑剤カートリッジの潤滑剤保持部の断面図である。
【図６】  他例である回転体支持部への潤滑剤供給装置に用いる潤滑剤カートリッジの斜視図である。
【図７】  さらに他例である回転体支持部への潤滑剤供給装置に用いる潤滑剤カートリッジの斜視図である。
【図８】  従来のファクシミリ内部の説明斜視図である。
【符号の説明】
１１〜１３    ギヤ支持軸（支持軸）
１４    ファン支持軸（支持軸）
１１ａ〜１４ａ    軸穴
１１ｂ〜１４ｂ    横穴
１５〜１７    ギヤ（回転体）
１８    プーリ（回転体）
２５・３０・４０    潤滑剤カートリッジ
２５ｂ・３０ｂ  キャップ部
２５ｄ・３０ｄ  潤滑剤保持部
４０ｄ・４０ｅ  潤滑剤保持部
４０ｆ    規制凸部（規制部）
【図１】
0003770506.tif 000002
【図２】
0003770506.tif 000003
【図３】
0003770506.tif 000004
【図４】
0003770506.tif 000005
【図５】
0003770506.tif 000006
【図６】
0003770506.tif 000007
【図７】
0003770506.tif 000008
【図８】
0003770506.tif 000009